(57)【要約】【課題】地面等の掘削と、掘削した掘削面等の整地とをアタッチメントを交換するだけで、一つのバケット構造体によって行い得るように構成した建設用掘削機械におけるバケット構造体を提供すること。【解決手段】バケット底板３を有するバケット本体と、前記バケット底板の前縁側３ａに横幅方向にわたって固着してある取付プレート８と、前記取付プレートにおける前縁側８ａに横幅方向に間隔をおいて固着してある複数の爪アダプタ１０と、前記爪アダプタに対して着脱可能に装着される複数の掘削爪１４とを含むものからなり、爪アダプタに掘削爪を装着した状態で、バケット底板の裏面１９、爪アダプタの裏面２０並びに前記掘削爪の裏面２１とを略面一にしたことを特徴とする建設用掘削機械におけるバケット構造体。【選択図】図２
2006016906.tif 000002
【特許請求の範囲】
【請求項１】
バケット底板を有するバケット本体と、前記バケット底板の前縁側に横幅方向にわたって固着してある取付プレートと、前記取付プレートにおける前縁側に横幅方向に間隔をおいて固着してある複数の爪アダプタと、前記爪アダプタに対して着脱可能に装着される複数の掘削爪とを含むものからなり、前記爪アダプタに前記掘削爪を装着した状態で、前記バケット底板の裏面、前記爪アダプタの裏面並びに前記掘削爪の裏面とを略面一にしたことを特徴とする建設用掘削機械におけるバケット構造体。
【請求項２】
バケット底板を有するバケット本体と、前記バケット底板の前縁側に横幅方向にわたって固着してある取付プレートと、前記取付プレートにおける前縁側に横幅方向に間隔をおいて固着してある複数の爪アダプタと、前記爪アダプタの横幅方向の間隔に一致する間隔をおいて前記爪アダプタに嵌合する嵌合部を備えていて、前記嵌合部の間を連結する平爪部を備えた平爪部材とを含むものからなり、前記爪アダプタに前記平爪部材を装着した状態で、バケット底板の裏面、爪アダプタの裏面並びに平爪部材の裏面とを略面一にしたことを特徴とする建設用掘削機械におけるバケット構造体。
【発明の詳細な説明】
【技術分野】
【０００１】
この発明は、例えば、地面等を掘削したり、あるいは整地したりする際に用いられるショベル系掘削機におけるバケットの構造に関するものであり、特に、地面等の掘削と、掘削した掘削面等の整地とをアタッチメントを交換するだけで、一つのバケット構造体によって行い得るように構成した建設用掘削機械におけるバケット構造体に関するものである。
【背景技術】
【０００２】
周知のように、従来の建設用掘削機械におけるバケットは、典型的には、特許文献１あるいは特許文献２に示すようなものである。従来の典型的なバケットの構成について、図２Ｂ−１および図２Ｂ−２に基づいて説明する。図に示す例において、バケット本体４１におけるバケット底板４３の前縁側４３ａに横幅方向にわたって爪アダプタを取り付けるための取付プレート４８が溶接により固着してある。従来の爪アダプタ５０は、特に、図２Ｂ−１および図２Ｂ−２から明らかなように、前記取付プレート４８における前縁側４８ａに、横幅方向に一定のピッチ間隔Ｐをおいて、溶接により取り付けられており、溶接により取り付けた際、前記取付プレート４８の表面側並びに裏面側の双方に突起５９、６０が生じてしまう形態のものとして構成されている。
【０００３】
前記爪アダプタ５０は、前記取付プレート４８に対する取付基部５１と、該取付基部５１から外方に向けてのびる掘削爪固着部５２からなっており、前記掘削爪固着部５２には、ピン挿通孔５３が設けてある。一方、バケット本体４１における爪アダプタ５０に対して取り付けられる掘削爪５４は、特に、図２Ｂ−１および図２Ｂ−２から明らかなように、一端側に掘削爪部５５を備え、他端側に前記爪アダプタ５０における掘削爪固着部５２に嵌まり合う凹部５６を備えたものからなっている。前記掘削爪５４は、前記凹部５６に交差するピン挿通孔５７を有するものからなっている。
【０００４】
この従来の構成になるバケット構造体は、バケット本体４１に掘削爪５４を取付ける構造部分が、バケット底板４３の前縁側４３ａに、取付プレート４８を介して横幅方向に間隔をおいて固着してある複数の爪アダプタ５０に対し、着脱可能なものとして構成されている。この従来のバケットによれば、前記掘削爪５４を取付ける爪アダプタ５０が、バケット底板５３の内側面並びに外側面に凸状に突出する構造のものであるため、地面等を掘削すると、その掘削面が凹凸状になってしまい（前記バケット底板の外側面に凸状に突出する爪アダプタによって掘削面に凹状溝が形成されてしまう）、当該凹凸状の掘削面を均さなければならなかった。
【０００５】
従来、上記するような場合には、掘削爪の付いた掘削専門のバケットをパワーショベルの作動アーム端にセットしておき、この掘削爪付きバケットによって地面等の掘削作業を行い、しかる後、パワーショベルの作動アーム端にセットしてある掘削爪付きバケットを取り外して、該パワーショベルの作動アーム端に整地用の平爪を備えた整地用平爪付きバケットをせっとして、前記掘削作業において形成されてしまった凹凸状掘削面を整地するというものであった。この二段階の作業工程になものでは、その都度、各工程専用のバケットをセットし直さなければならず、その労力は多大であり、極めて煩雑なものであった。
【０００６】
【特許文献１】特開平７−２０７７１３号公報（要約、図１Ａ、図１Ｂ）
【特許文献２】特開２００１−１９３１０５号公報（要約、図６、図７）
【発明の開示】
【発明が解決しようとする課題】
【０００７】
そこで、この発明では、上記する特許文献１並びに特許文献２に示す従来技術の問題点を解消すべくなしたものであって、特に重要な要素は、極めて簡単な構造でなり、多量生産にも適合し、経済的にも極めて有利であって、且つ、地面等の掘削と、掘削した掘削面等の整地とをアタッチメントを交換するだけで、一つのバケット構造体によって行い得るように構成した建設用掘削機械におけるバケット構造体を提供することにある。
【課題を解決するための手段】
【０００８】
この発明は、上記する目的を達成するにあたって、請求項１に記載の発明は、バケット底板を有するバケット本体と、前記バケット底板の前縁側に横幅方向にわたって固着してある取付プレートと、前記取付プレートにおける前縁側に横幅方向に間隔をおいて固着してある複数の爪アダプタと、前記爪アダプタに対して着脱可能に装着される複数の掘削爪とを含むものからなり、前記爪アダプタに前記掘削爪を装着した状態で、前記バケット底板の裏面、前記爪アダプタの裏面並びに前記掘削爪の裏面とを略面一にしたことを特徴とする建設用掘削機械におけるバケット構造体を構成するものである。
【０００９】
さらに、この発明において請求項２に記載の発明は、バケット底板を有するバケット本体と、前記バケット底板の前縁側に横幅方向にわたって固着してある取付プレートと、前記取付プレートにおける前縁側に横幅方向に間隔をおいて固着してある複数の爪アダプタと、前記爪アダプタの横幅方向の間隔に一致する間隔をおいて前記爪アダプタに嵌合する嵌合部を備えていて、前記嵌合部の間を連結する平爪部を備えた平爪部材とを含むものからなり、前記爪アダプタに前記平爪部材を装着した状態で、前記バケット底板の裏面、前記爪アダプタの裏面並びに前記平爪部材の裏面とを略面一にしたことを特徴とする建設用掘削機械におけるバケット構造体を構成するものである。
【発明の効果】
【００１０】
この発明になる建設用掘削機械におけるバケット構造体は、爪アダプタに掘削爪を装着した状態で、バケット底板の裏面、爪アダプタの裏面並びに掘削爪の裏面とを略面一にしたことによって、地面等の掘削に際して、平坦な掘削面を得ることができる。さらには、爪アダプタに対して、掘削爪と平爪部材との何れかを交換的にセットするだけで、地面等の掘削と、掘削した掘削面等の整地とを一つのバケット構造体によって行い得るようにした点などにおいて極めて有効に作用するものといえる。
【００１１】
さらに、この発明になる建設用掘削機械におけるバケット構造体は、それ自体が極めて簡単な構造でなり、多量生産にも適合するものであり、経済的にも極めて有利である点、並びに、掘削並びに整地に要する作業の省力化が図れる点などにおいて、極めて有効に作用するものといえる。
【発明を実施するための最良の形態】
【００１２】
以下、この発明になる建設用掘削機械におけるバケット構造体について、図面に示す具体的な実施例に基づいて詳細に説明する。図１は、この発明になる建設用掘削機械におけるバケット構造体の基本構成を示すものであって、図１Ａは、当該バケット構造体を前面側からみた概略的な斜視図、図１Ｂは、当該バケット構造体を背面側からみた概略的な斜視図である。
【００１３】
図２は、この発明になるバケット構造体と従来のものとを比較する図であって、図２Ａ−１は、爪アダプタに対して掘削爪を取付ける前の状態を示す概略的な斜視図であり、図２Ａ−２は、爪アダプタに対して掘削爪が取付けられている状態を示す概略的な側断面図である。図２Ｂ−１は、図２Ａ−１に対応する従来の具体的な構成例を示す概略的な斜視図であり、図２Ｂ−２は、図２Ａ−２に対応する従来の具体的な構成例を示す概略的な側断面図である。
【００１４】
図３は、この発明になる建設用掘削機械におけるバケット構造体であって、爪アダプタに対して掘削爪に代えて平爪部材を取付ける構成例を示すもので、図３Ａは、その概略的な側断面図であり、図３Ｂは、当該平爪部材の一例を示す概略的な斜視図である。
【００１５】
この発明になる建設用掘削機械におけるバケット構造体は、例えば、パワーショベル、バックホウ、トラクタなどの建設用掘削機械に用いられているバケットの改良に係るものであり、基本的には、例えば、図１に示すような構造のバケット本体１に対して適用されるものである。このバケット本体１は、典型的なものであり、図示する形態のものに限定されるものではなく、既存の形態のバケットの何れであってもよい。前記バケット本体１は、パワーショベルに取り付けられている旋回式ブーム、該旋回式ブームの先端に枢着されているを介して、当該アームの先端に枢着部２を介して枢着されていて、地面の掘削、運土、盛土、締固め、整地などのドーザ作業に多く適用される。
【００１６】
前記バケット本体１は、バケット底板３、バケット背壁４、バケット天壁５および一対のバケット側壁６、６とによって前面側が開口した掬い箱のような形態のものである。前記一対のバケット側壁６、６には、サイドカッター７、７が取り付けてある。この発明において、前記バケット本体１に対して前記バケット底板３の前縁側３ａに横幅方向にわたって爪アダプタを取り付けるための取付プレート８が溶接により固着してある。図２Ａ−２に示す実施例のように、この取付プレート８の裏面側には、裏面側を略面一にするための裏当てプレート９が、同様に溶接により取り付けてある。取付プレート８と裏当てプレート９とは、一体的なものであってもよい。
【００１７】
この発明において重要な点は、図１Ａ、図２Ａ−１および図２Ａ−２に詳細に図示するように、爪アダプタ１０の具体的な形態にある。すなわち、この発明において、前記爪アダプタ１０は、特に、図２Ａ−１および図２Ａ−２から明らかなように、前記取付プレート８における前縁側８ａに、横幅方向に一定のピッチ間隔Ｐをおいて、溶接により取り付けられており、溶接により取り付けた際、前記取付プレート８の裏面側には一切の出っ張りが生じないような形態のものとして構成されている。前記爪アダプタ１０は、前記取付プレート８に対する取付基部１１と、該取付基部１１から外方に向けてのびる掘削爪固着部１２からなっており、前記掘削爪固着部１２には、ピン挿通孔１３が設けてある。
【００１８】
一方、この発明では、上記する構成になるバケット本体１に対して、専ら、地面などの掘削のための掘削爪１４と、地面などの整地などに有効な平爪部材２３とが別個に準備される。前記掘削爪１４は、特に、図２Ａ−１および図２Ａ−２から明らかなように、一端側に掘削爪部１５を備え、他端側に前記爪アダプタ１０における掘削爪固着部１２に嵌まり合う凹部１６を備えたものからなっている。前記掘削爪１４は、前記凹部１６に交差するピン挿通孔１７を有するものからなっている。
【００１９】
この発明において、さらに重要な点は、図１Ｂ、図２Ａ−１および図２Ａ−２に詳細に図示するように、前記掘削爪１４を前記爪アダプタ１０における掘削爪固着部１２に嵌め込み、ロックピン１８の打ち込みによって固着した際、前記バケット底板３の裏面１９、前記爪アダプタの裏面２０並びに前記掘削爪１４の裏面２１とを略面一に構成してある。図に示す実施例によれば、前記取付プレート８と一体となっている裏当てプレート９の裏面２２も略面一に構成されている。
【００２０】
一方、これに対して、前記平爪部材２３は、例えば、図３Ａおよび図３Ｂに示すように、前記爪アダプタの横幅方向のピッチ間隔Ｐに一致する間隔をおいて前記爪アダプタに嵌合する複数の嵌合部２４を備えていて、前記嵌合部２４の間を連結する平爪部２５を備えたものからなっている。前記平爪部材２３における嵌合部２４は、前記掘削爪１４の形態と同一のものであり、前記爪アダプタ１０における掘削爪固着部１２に嵌まり合う凹部２６を備えたものからなっている。前記平爪部材２３は、前記凹部２６に交差するピン挿通孔２７を有するものからなっていて、ロックピン２８の打ち込みによって、前記バケット本体１における爪アダプタ１０に対して着脱自在に固着されるようになっている。
【００２１】
この発明において、さらに重要な点は、図３Ａおよび図３Ｂに詳細に図示するように、前記平爪部材２３を前記爪アダプタ１０における掘削爪固着部１２に嵌め込んで、ロックピン２８の打ち込みによって固着した際、前記バケット底板３の裏面１９、前記爪アダプタの裏面２０並びに前記平爪部材２３の裏面２９とを略面一に構成してある。図に示す実施例によれば、前記取付プレート８と一体となっている裏当てプレート９の裏面２２も略面一に構成されている。
【図面の簡単な説明】
【００２２】
【図１】図１は、この発明になる建設用掘削機械におけるバケット構造体の基本構成を示すものであって、図１Ａは、当該バケット構造体を前面側からみた概略的な斜視図、図１Ｂは、当該バケット構造体を背面側からみた概略的な斜視図である。
【図２】図２は、この発明になるバケット構造体と従来のものとを比較する図であって、図２Ａ−１は、爪アダプタに対して掘削爪を取付ける前の状態を示す概略的な斜視図であり、図２Ａ−２は、爪アダプタに対して掘削爪が取付けられている状態を示す概略的な側断面図である。図２Ｂ−１は、図２Ａ−１に対応する従来の具体的な構成例を示す概略的な斜視図であり、図２Ｂ−２は、図２Ａ−２に対応する従来の具体的な構成例を示す概略的な側断面図である。
【図３】図３は、この発明になる建設用掘削機械におけるバケット構造体であって、爪アダプタに対して掘削爪に代えて平爪部材を取付ける構成例を示すもので、図３Ａは、その概略的な側断面図であり、図３Ｂは、当該平爪部材の一例を示す概略的な斜視図である。
【符号の説明】
【００２３】
ＧＬ  地面
１  バケット本体
２  枢着部
３  バケット底板
３ａ  バケット底板の前縁側
４  バケット背壁
４、バケット天壁
６、６  バケット側壁
７、７  サイドカッター
８  取付プレート
８ａ  取付プレートの前縁側
９  裏当てプレート
１０  爪アダプタ
１１  取付基部
１２  掘削爪固着部
１３  ピン挿通孔
１４  掘削爪
１５  掘削爪部
１６  凹部
１７  ピン挿通孔
１８  ロックピン
１９  バケット底板の裏面
２０  爪アダプタの裏面
２１  掘削爪の裏面
２２  裏当てプレートの裏面
２３  平爪部材
２４  嵌合部
２５  平爪部
２６  凹部
２７  ピン挿通孔
２８  ロックピン
２９  平爪部材の裏面
【図１】
2006016906.tif 000003
【図２】
2006016906.tif 000004
【図３】
2006016906.tif 000005